(57)【要約】　　　（修正有）【課題】フック部から吊上げ対象物の外れ、離脱を効果的に防止する外れ止部を有し、かつ、重量のある吊上げ対象物の下敷になったフック部を容易に抜去できる機構を有したフック装置を提供する。【解決手段】フック部１、外れ止め部２、フック支持部３、ロック部４から成るフック装置において、フック部１とフック支持部３は、フック支持部３を反転回動させて両部材が略当接する配置関係にロック部４で維持され、この配置関係でフック部１の吊上げ対象物からの抜去が行われるようにし、フック部１の内側上部に、外れ止め部２の外れ止め片の一端部をスライド自動案内するスライド溝１２１と外れ止め片の支持アームを回動自在に固定する支持アーム固定部１２２からなる外れ止め用固定部１２を配設したことを特徴とするフック装置。【選択図】　図１
2004115263.tif 000002
【特許請求の範囲】
【請求項１】
フック部（１）の開口部（Ｏ）を開閉自在に開閉する外れ止め部（２）を有するフック部（１）、前記フック部（１）を回動自在に軸支するフック支持部（３）、及び、前記フック部（１）に対してフック支持部（３）を反転回動させた配置関係にフック部（１）とフック支持部（３）を固定するためのロック部（４）、とから成るフック装置において、
（ｉ）．前記フック部（１）が、
（ｉ）−１．フック部（１）の上端部（１１）に、前記上端部（１１）をフック支持部（３）の二股構造の下端部（３２、３２´）内に軸支するためのピン孔（１１１）、及び、フック支持部（３）の二股構造の下端部（３２、３２´）内に配設されたロック部（４）の係止部（４１）に係合する係止部（１１２）を有するもので構成され、
（ｉ）−２．フック部（１）の内側上部（１１ａ）に、前記外れ止め部（２）を構成する外れ止め片（２１）の一端部（２１１）をスライド自在に案内するスライド溝部（１２１）、及び、前記外れ止め部片（２１）の支持アーム（２２）を回動自在に固定する支持アーム固定部（１２２）、とから成る外れ止め用固定部（１２）を有するもので構成され、
（ｉｉ）．前記外れ止め部（２）が、一端部（２１１）が前記フック部（１）のスライド溝部（１２１）にスライド自在に固定されるとともに他端部（２１２）がフック部（１）の先端部（１４）と略当接状態にある外れ止め片（２１）、及び、一端部（２２１）が前記フック部（１）の支持アーム固定部（１２２）に回動自在に固定されるとともに他端部（２２２）が前記外れ止め片（２１）の略中央部（２１３）に回動自在に固定される支持アーム（２２）、とから構成され、かつ、
（ｉｉｉ）．前記フック支持部（３）が、
（ｉｉｉ）−１．フック支持部（３）の上端部（３１）に、吊上げ用のワイヤーを取付
けるためのワイヤー固定部（３１１）を有するもので構成され、
（ｉｉｉ）−２．フック支持部（３）の下端部が、二股構造の下端部（３２、３２´）で構成され、前記二股構造の下端部（３２、３２´）の開放端側内部に収納された前記フック部（１）の上端部（１１）を軸支する接合ピン（３２１）、及び、前記フック部（１）の上端部（１１）の外周部の係止部（１１２）に係合するロック部（４）を軸支するロック接合ピン（３２２）を有するもので構成され、かつ、
（ｉｖ）．前記ロック部（４）が、前記フック支持部（３）の二股構造の下端部（３２、３２´）内に配設され、かつ、フック部（１）の上端部（１１）の外周部に配設された係止部（１１２）に係合する係止部（３１）を有する　　もので構成される、
ことを特徴とするフック装置。
【請求項２】
スライド溝（１２１）が、外れ止め片（２１）の一端部（２１１）を直線状にスライドさせるための直線状スライド溝（１２１ａ）と前記一端部（２１１）を係止するための係止溝（１２１ｂ）から成るものである請求項１に記載のフック装置。
【請求項３】
外れ止め片（２１）の一端部（２１１）が、二股構造のものである請求項１に記載のフック装置。
【請求項４】
支持アーム（２２）が、外れ止め片（２１）の略中央部（２１３）と支持アーム固定部（１２２）を挟持する二本のアームからなるもの、または両端部が二股構造を有する一本のアームからなるものである請求項１に記載のフック装置。
【請求項５】
ロック部（４）が、フック部（１）に対してフック支持部（３）を反転回動させ、フック支持部（３）の上端部（３１）がフック部（１）の背部（１５）に略当接する配置関係にフック部（１）とフック支持部（３）を固定するものである請求項１に記載のフック装置。
【発明の詳細な説明】
【０００１】
【産業上の利用分野】
本発明は、吊上げ作業時のフック部からの吊上げ対象物の外れ、離脱を効果的に防止することが出来る外れ止め機能を有するとともに、吊上げ搬送された後に吊上げ対象物からフック部を容易に抜去（脱着）させる機能を有するフック装置に関する。
【０００２】
更に詳しくは、本発明は、吊上げ作業時にみられるフック部からの吊上げ対象物の外れを防止するために、フック開口部を閉塞している外れ止め部を、その先端部がフック開口部の内側を回動するようにさせるとともにフック開口部の内側上方へ移動させるようにし、かつ、フック開口部内に引掛けられた対象物による外れ止め部の作動が生じないように構成し、更に、吊上げ作業の終了時にはフック部から吊上げ対象物を容易に抜去（脱着）させるためにフック部とフック支持部の配置関係を抜去作業を容易ならしめる配置関係に固定するように構成したことを特徴とする新規なフック装置に関するものである。
【０００３】
【従来の技術】
重量物の吊上げ、搬送用の装置としてフック装置は広く使用されている。
また、安全対策の観点から、吊上げ作業時にフック部からの吊上げ対象物の離脱や外れが生じないように、外れ止め機構を備えたフック装置も広く使用されている。
【０００４】
この種の外れ止め機構を備えたフック装置の典型例は、フック部の内側（開口部側）上部に外れ止め部の回動支持点を一箇所設け、前記回動支持点を中心に外れ止め部の一端部をフック開口部の内側を回動自在に支持するものがある。
いうまでもないことであるが、前記外れ止め機構を有するフック装置においては、外れ止め部はフック開口部の内側を前記回動支持点を中心にその先端部が円弧を描くように回動し、かつフック先端部に当接して外れ止めの機能を果たすものである。
なお、前記した従来技術の外れ止め機構における外れ止め部の先端部の回動時の軌跡は、後述する図５において一点鎖線（ｂ）で示されている。
【０００５】
しかしながら、前記した外れ止め機構を有するフック装置においては、外れ止め部を作動させるとき、外れ止め部の先端部はフック部の開口部内側の深い所を円弧を描くように回動するため、フック部の開口部に収容されている吊上げ対象物の係止部やワイヤーロープなどに外れ止め部の先端部が当接してしまうため、外れ止めの機能を発現させることができなかったり、あるいは前記係止部やロープなどをフック開口部からこれらを容易に取り外すことが出来ない（吊上げ対象物を容易に脱着することができない）という欠点を有する。
【０００６】
前記した従来技術の外れ止め部を有するフック装置の欠点を解消するためにフック部の開口幅を大きくすると、それに比例して外れ止め機構、特に外れ止め片の長さが長くなるため、外れ止め片を一箇所の回動支持点で回動させるフック装置においては、以前として吊上げ対象物の吊上げ時及び取り外し時（吊上げ作業時及び脱着作業時）に困難をきたすものである。
更に、前記開口幅を大きくした外れ止め機構を有するフック装置においては、フック先端部が変形したり（延びたり）してフック先端部と外れ止め片の先端部が当接しなくなり、外れ止め機能がなくなる。
【０００７】
本発明者は、前記した従来のフック装置における問題を解決するために、幾つかの提案を行っている。
例えば、本発明者は、外れ止め部の機構として、従来のように外れ止め片の回動をフック本体側に設けた一箇所の固定点で回動支持するのでなく、外れ止め片を二箇所で回動支持させるようにした場合、即ちフック部の本体側に外れ止め片の一端部をスライド溝内で回動支持する部位と外れ止め片の他端部を固定点で回動支持する部位を設けた場合、外れ止め片の回動操作時に外れ止め片を前記スライド溝の存在によりフック部の内側上方へ移動させながら回動させることができ、フック部のフック開口部での吊上げ対象物の係止部への引掛作業に何等の困難を来たさず、かつ、外れ止め機能を十全に発現させることができるという知見を得た。
【０００８】
【発明が解決しようとする問題点】
本発明者による前記した外れ止め部の構成（外れ止め部を二箇所で回動支持する構成）を有するフック装置（特許第３，２０３，１３３号）は、外れ止め部の機能を十全に発現させる上で満足のいくものであった。
【０００９】
しかしながら、前記提案のフック装置は、建設現場での軟弱地盤の養生足場として地面に敷設されている重さが数トンにも及ぶ敷鉄板を吊上げ、搬送する作業に使用した場合、所定の設置場所に敷鉄板を敷設した後、フック部を敷鉄板から脱着させる作業において困難を来たすものである。
即ち、フック部が重さが数トンにも及ぶ敷鉄板の下敷きになり、地中等に埋没してしまうため、フック部の抜去、脱着等に困難を来す。この意味において、本発明者の先に提案した別の外れ止め機能を有するフック装置（特許第２，８３３，６７４号）も同様の問題点をかかえている。
【００１０】
本発明は、前記本発明者の先に提案した外れ止め部の構成（外れ止め部を二箇所で回動支持する構成）を有するフック装置（特許第３，２０３，１３３号）において、外れ止め部の機能を何等、阻害することなく、吊上げ対象物からのフック部の抜去（脱着）を容易にするための技術的手段を組み込み、フック装置の付加価値を高めることを目的とするものである。
【００１１】
本発明者は、先に提案したフック装置（特許第３，２０３，１３３号）において、敷鉄板などの吊上げ対象物を所定の場所に搬送、敷設した後、吊上げ対象物からフック部を容易に抜去（脱着）させるためには、フック部を支持するための支持部（フック支持部）をフック部の上端部に回動自在に配設するとともに、フック部とフック支持部の配置関係を吊上げに適する支点（吊上げ支点）から抜去（脱着）に適する支点（抜去支点）が確保される配置関係で両部材を固定するロック部をフック支持部の二股構造の空間スペース内に配設する、ことが極めて有効であることを見い出した。
【００１２】
本発明は前記した知見をベースに完成されたものであり、本発明により操作性、安全性に優れ、吊上げ作業時のフック部からの吊上げ対象物の外れ、離脱の防止能に優れ、かつ、フック部の吊上げ対象物からの抜去（脱着）性能に優れた新しい構造のフック装置が提供される。
【００１３】
【問題点を解決するための手段】
本発明は概説すれば、本発明は、フック部（１）の開口部（Ｏ）を開閉自在に開閉する外れ止め部（２）を有するフック部（１）、前記フック部（１）を回動自在に軸支するフック支持部（３）、及び、前記フック部（１）に対してフック支持部（３）を反転回動させた配置関係にフック部（１）をフック支持部（３）と固定するためのロック部（４）、とから成るフック装置において、
（ｉ）．前記フック部（１）が、
（ｉ）−１．フック部（１）の上端部（１１）に、前記上端部（１１）をフック支持部（３）の二股構造の下端部（３２、３２´）内に軸支するためのピン孔（１１１）、及び、フック支持部（３）の二股構造の下端部（３２、３２´）内に配設されたロック部（４）の係止部（４１）に係合する係止部（１１２）を有するもので構成され、
（ｉ）−２．フック部（１）の内側上部（１１ａ）に、前記外れ止め部（２）を構成する外れ止め片（２１）の一端部（２１１）をスライド自在に案内するスライド溝部（１２１）、及び、前記外れ止め部片（２１）の支持アーム（２２）を回動自在に固定する支持アーム固定部（１２２）、とから成る外れ止め用固定部（１２）を有するもので構成され、
（ｉｉ）．前記外れ止め部（２）が、一端部（２１１）が前記フック部（１）のスライド溝部（１２１）にスライド自在に固定されるとともに他端部（２１２）がフック部（１）の先端部（１４）と略当接状態にある外れ止め片（２１）、及び、一端部（２２１）が前記フック部（１）の支持アーム固定部（１２２）に回動自在に固定されるとともに他端部（２２２）が前記外れ止め片（２１）の略中央部（２１３）に回動自在に支持される支持アーム（２２）、とから構成され、かつ、
（ｉｉｉ）．前記フック支持部（３）が、
（ｉｉｉ）−１．外れ止め部（３）の上端部（３１）に、吊上げ用のワイヤーを取付けるためのワイヤー固定部（３１１）を有するもので構成され、
（ｉｉｉ）−２．外れ止め（３）の下端部が、二股構造の下端部（３２、３２´）で構成され、前記二股構造の下端部（３２、３２´）の開放端側内部に収納された前記フック部（１）の上端部（１１）を軸支する接合ピン（３２１）、及び、前記フック部（１）の上端部（１１）の外周部の係止部（１１２）に係合するロック部（４）を軸支するロック接合ピン（３２２）を有するもので構成され、かつ、
（ｉｖ）．前記ロック部（４）が、前記フック支持部（３）の二股構造の下端部（３２、３２´）内に配設され、かつ、フック部（１）の上端部（１１）の外周部に配設された係止部（１１２）に係合する係止部（３１）を有するもので構成される、
ことを特徴とするフック装置に関するものである。
【００１４】
以下、本発明の技術的構成及び実施態様について図面を参照して詳しく説明する。
なお、本発明は図示のものに限定されないことはいうまでもないことである。
【００１５】
図１〜図３は、本発明のフック装置（Ａ）の全体構成を説明するための図である。
図１は、フック装置（Ａ）の正面図である。
図２は、フック装置（Ａ）の斜視図である。
図３は、フック装置（Ａ）の断面図であり、図１において紙面に平行な断面でみたときの断面図である。
【００１６】
図４〜図５は、本発明のフック装置（Ａ）のフック部（１）及び外れ止め部（２）の構成を説明する図である。
図４は、フック装置（Ａ）のフック部（１）の斜視図である。
図５は、フック装置（Ａ）の外れ止め部（２）の構成及び動作を説明する図である。
【００１７】
図６〜図８は、フック装置（Ａ）のフック部（１）を吊上げ対象物である敷鉄板（１）からの抜去（脱着）を説明するための図である。
図６は、フック装置（Ａ）の敷鉄板（Ｉ）からの抜去作業を説明するための図であり、敷鉄板（Ｉ）が吊上げて搬送され、所定の地面（Ｅ）に敷設された直後のフック装置（Ａ）と敷鉄板（Ｉ）の配置関係を示す図である。
図７は、フック装置（Ａ）の敷鉄板（Ｉ）からの抜去作業を説明するための図であり、敷鉄板（Ｉ）の引掛け用穴部（Ｈ）からフック部（１）の先端部（１４）が抜去される直前のフック装置（Ａ）と敷鉄板（Ｉ）の配置関係を示す図である。
図８は、図６に示されるフック部（１）の断面図であり、図６において紙面に平行な断面でみたときの断面図である。
【００１８】
図示されるように、本発明のフック装置（Ａ）は、図１〜図３に示されるように、大きな構成要素（部材）として、
１．フック部（１）、
２．フック部（１）の開口部（Ｏ）を開閉自在に開閉する外れ止め部（２）、
３．フック部（１）を回動自在に軸支するフック支持部（３）、及び、
４．フック部（１）に対してフック支持部（３）をフック部（１）の吊上げ対象物からの抜去（脱着）を容易とする配置関係まで反転回動させ、その配置関係を両部材が維持できるようにロックするロック部（４）、
という４つの構成部材から成るものである。
なお、前記フック部（１）が吊上げ対象物からの抜去（脱着）を容易とするフック部（１）とフック支持部（３）の配置関係は、後述する図６〜図７で詳しく説明される。
【００１９】
以下、本発明の前記した４つの構成部材の技術的構成について、図面を参照して詳しく説明する。
【００２０】
本発明のフック装置（Ａ）において、フック部（１）は、詳しくは図４に示されるように、次のように構成されるものである。
１．フック部（１）の上端部（１１）は、フック支持体部（３）の二股構造の下端部（３２、３２´）の二股空間内に配設された接合ピン（３２１）により軸支されるためのピン孔（１１１）、及び、フック支持体部（３）の二股構造の下端部（３２、３２´）の二股空間内に回動自在に配設されたロック部（４）の係止部（４１）に係合する係止部（１１２）、を有するもので構成され、
２．フック部（１）の内側上部（１１ａ）は、外れ止め部（２）を構成する外れ止め片（２１）の一端部（２１１）をスライド自在に案内するスライド溝部（１２１）、及び、外れ止め片（２１）の支持アーム（２２）を回動自在に固定する支持アーム固定部（１２２）、とから成る外れ止め用固定部（１２）を有するもので構成される。
３．その他、フック部（１）は、わん曲部（１３）、先端部（１４）、背部（１５）を有する通常のフック形状をしている。
本発明において、前記フック部（１）の上端部（１１）に配設された係止部（１１２）とロック部（４１）の係合により、詳しくは図６〜図７を参照して後述するが、フック部（１）とフック支持部（３）は、フック部（１）が吊上げ対象物から容易に抜去（脱着）される配置関係をとることになる。
【００２１】
前記スライド溝部（１２１）は、外れ止め片（２１）の一端部（２１１）を直線状にスライドさせる直線状スライド溝（１２１ａ）と前記外れ止め片（２１）の一端部（２１１）を係止するための係止溝（１２１ｂ）とから構成される。
なお、本発明において、前記係止用の係止溝（１２１ｂ）を配設しなくても、多少の不便さはともなうもののフック装置として使用できることはいうまでもないことである。
【００２２】
本発明のフック装置（Ａ）において、前記外れ止め部（２）は、詳しくは図４に示されるように、次のように構成されるものである。
即ち、本発明の外れ止め部（２）は、
１．フック部（１）の開口部（Ｏ）（図１参照）を閉塞するための外れ止め片（２１）から成り、
２．前記外れ止片（２１）は、一端部（２１１）がフック部（１）のスライド溝部（１２１）にスライド自在に固定されるとともに、他端部（２１２）がフック部（１）の先端部（１４）に略当接状態に維持されるもので構成され、かつ、
３．前記外れ止め片（２１）をフック部（１）に対して回動自在に支持する支持アーム（２２）であって、その一端部（２２１）がフック部（１）の支持アーム固定部（１２）に回動自在に固定されるとともに、他端部（２２２）が外れ止め片（２１）の略中央部（２１３）に回動自在に固定される支持アーム（２２）、とから構成される。
本発明において、前記外れ止め片（２１）の他端部（２１２）がフック部（１）の先端部（１４）に略当接する配置関係とは、両部材が当接していてもよく、また近接部位にあって非当接状態であってもよいことを意味するものであり、そのその配置関係は最広義に解釈されるべきものである。
【００２３】
本発明において、図４に示されるように、外れ止め片（２１）の一端部（２１１）は、二股構造のものに構成されるとともに、二股部分に誇設されたピン（２１１ａ）は、前記外れ止め用固定部（１２）のスライド溝（１２１）内をスライド自在にされる。
また、支持アーム（２２）は、図４に示されるように、所定の間隔をもつ二枚の平行アームで構成されるとともに、その一端部（２２１）は前記外れ止め用固定部（１２）の支持アーム固定部（１１２）に回転自在に軸支され、他端部（２２２）は外れ止め片（２１）の略中央部（２１３）に回転自在に軸支される。
【００２４】
所望の吊上げ対象物の引掛部をフック部（１）の開口部（Ｏ）に引掛けるとき、即ち、図４において外れ止め部（２）の外れ止め片（２１）の他端部（２１２）を時計回りに回動させて引掛部を開口部（Ｏ）内に案内するとき、前記外れ止め部（２）と外れ止め用固定部（１２）の構成により、外れ止め片（２１）は、その一端部（２１１）がスライド溝（１２１）内を上方に移動し、それに伴って支持アーム（２２）も反時計回りに回動し、前記一端部（２１１）は最終的にはスライド溝（１２１ａ）の係止溝（１２１ｂ）内に収容され、外れ止め片（２１）は、外れ止め用固定部（１２）と平行の配置関係となり、開口部（Ｏ）の開口幅を大きく開口させる。
本発明のフック装置（Ａ）において、前記支持アーム（２２）は、図５の配置関係において常に時計回りにバネ付勢（図３の（２２ａ）参照）されている。別言すれば、外れ止め片（２１）の一端部（２１１）とスライド溝（１２１）の係止溝（１２１ｂ）の係合関係を解除したとき、支持アーム（２２）の時計回りの回動により、フック部（１）の開口部（Ｏ）は外れ止め片（２１）の復帰により閉塞されることになる。
【００２５】
図５は、本発明のフック装置（Ａ）の外れ止め部（２）の動作説明図である。本発明のフック装置（Ａ）における前記構成のものにおいて、即ち、前記したフック部（１）の外れ止め用固定部（１２）と外れ止め部（２）の外れ止め片（２１）及び支持アーム（２２）の構成のものにおいて、外れ止め片（２１）に力（Ｆ１　）に加えて（図４参照）、より具体的には図５においてマニュアル操作により外れ止め片（２１）を図５に示される点線の部位にまで時計回りに回転移行させ、フック部（１）の開口部（Ｏ）を開口させることにより、フック装置（Ａ）による吊上げ作業が開始される。
図５に示されるように、本発明のフック装置（Ａ）において、特に外れ止め片（２１）の先端部（２１２）の運動軌跡に注目すると、その軌跡には図５の点線（ａ）で示されるものである。なお、図２には従来の外れ止め片をフック部の上部において一箇所で回動回定する方式の外れ止め片の回動軌跡が、一点鎖線（ｂ）で示されている。
【００２６】
図５の外れ止め片（２１）の先端部（２１２）の運動軌跡（ａ）から明らかのように、本発明のフック装置（Ａ）は、フック部（１）の吊上げ対象物の係止部などへの係止作業、更には吊上げ対象物を所定の場所へ吊上げ搬送したのち、吊上げ対象物からフック部（１）を取り外す作業において、従来品より格段に優れている。
図５に示されるように、外れ止め片（２１）が力（Ｆ１　）（図４参照）により最終の配置関係に移る過程をみると、外れ止め片（２１）の一端部（２１１）は直線状スライド溝（１２１ａ）を上方へ移行し、最終的には直角状に配設されている係止溝（１２１ｂ）に収容され、フック部（１）の開口状態が維持されることになる。
前記外れ止め片（２１）の最終の配置関係への移行プロセスにおいて、外れ止め片（２１）の他端部（２１２）は、図５の点線（ａ）で示されるように従来品のようにフック部（１）の開口部（Ｏ）の深い所を回動しない、即ち、わん曲部（１３）側に接近して回動しないものである。従って、フック部の吊上げ対象物への引掛け作業や吊上げ対象物からの取外し作業も極めて容易に行なうことが出来る。
【００２７】
また、本発明のフック装置（Ａ）の外れ止め部（２）は、図４に示されるようにフック（１）の開口部（Ｏ）内において下から上へ何らかの力（Ｆ２　）が作用するとき、例えば開示しない吊上げ対象物の係止部が外れ止め部（２）に下から上へ衝突するようなとき、その構造からみて耐久性に優れたものである。即ち、下から上への外力（Ｆ２　）は外れ止め片（２１）の一端部（２１１）、支持アーム（２２）及びフック部（１）の支持アーム固定部（１２２）がなす三角形部で吸収、緩和されるため、かつ、外れ止め片（２１）の外力（Ｆ２　）による反時計回りの回動力は、外れ止め片（２１）の一端部（２１１）の接合ピン（２１１ａ）を介しての直線状スライド溝（１２１ａ）内での回動阻止力として相殺されるため、外れ止め部（２）は耐久性に優れている。
【００２８】
本発明のフック装置（Ａ）において、前記したフック部（１）の外れ止め用固定部（１２）と外れ止め部（２）の外れ止め片（２１）及び支持アーム（２２）との共働により、前記した外れ止め片（２１）の動作（変位軌跡）を保証するように、それぞれの部材の形状や大きさなどが決められることはいうまでもないことである。
例えば、前記フック部（１）のスライド溝部（１２１）の大きさ、前記外れ止め部（２）の外れ止め片（２１）や支持アーム（２２）の大きさなどは、前記した外れ止め片（２１）の動作（変位軌跡）が確保されるように適宜、決めればよい。
【００２９】
本発明のフック装置（Ａ）において、前記フック支持部（３）は、図１〜図３に示されるように、次のように構成されるものである。
即ち、本発明のフック支持部（３）は、
１．フック支持部（３）の上端部（３１）が、吊上げ装置のワイヤー先端部を取付けるためのワイヤー固定部（３１１）を有するもので構成され、かつ、
２．フック支持部（３）の下端部が、二股構造の下端部（３２、３２´）で構成され、前記二股構造の下端部（３２、３２´）の開放端側内部に収納された前記フック部（１）の上端部（１１）を軸支する接合ピン（３２１）、及び、前記二股構造の空間スペース内において前記フック部（１）の上端部（１１）の上部に配設されたロック部（４）であって、前記フック部（１）の上端部（１１）の外周部の係止部（１１２）に係合するロック部（４）、を軸支するロック接合ピン（３２２）、を有するもので構成される。
【００３０】
前記したように、本発明のフック支持部（３）は、その下端部は二股構造の下端部（３２、３２´）で構成され、当該二股構造の空間スペース内にその開放端側から上の方向にみて、フック部（１）の上端部（１１）及びロック部（４）を収容し、かつそれらを回動自在に軸支するための接合部（３２１）、ロック接合ピン（３２２）を配設して構成されるものである。
本発明において、フック支持部（３）の長さ、即ち、先端部（３１）と二股構造の下端部（３２、３２´）の間の長さは、フック部（１）の吊上げ対象物からの抜去（脱着）を確実かつ容易ならしめるために、詳しくは図６〜図７を参照して説明するが、吊上げ支点を抜去するためにてきした支点（抜去支点）に変移させるに十分な長さのものであるが好ましいことはいうまでもないことである。
【００３１】
本発明のフック装置（Ａ）において、前記ロック部（４）は、図１〜図３、特に図３に示されるように、次のように構成されるものである。
即ち、本発明のロック部（４）は、前記フック支持部（３）の二股構造の下端部（３２、３２´）の二股空間スペース内に配設され、かつ、当該スペース内に配設されたフック部（１）の上端部（１１）の外周部に設けられた係止部（１１２）に係合する係止部（４１）を有するもので構成される。
【００３２】
本発明のフック装置（Ａ）において、フック部（１）の係止部（１１２）とロック部（４）の係止部（４１）は、後述する図６〜図７に示されるように、フック支持部（３）の上端部（３１）がフック部（１）の背部（１５）に略当接する部位で係合状態に入り、ロック部（４）の作用によりフック部とフック支持部（３）は前記略当接状態の配置関係に維持、固定される。
本発明のロック部（４）は、図１に示される配置関係において、常に時計回りの方向にバネ付勢（図３の（４ａ）参照）させているものである。なお、図中、参照符号（４２）は、ロック部（４）のロックを解除するための操作レバー（ブッシュ）である。
【００３３】
本発明のフック装置（Ａ）は、重量物の吊上げ、搬送用として、例えば、建設現場の軟弱地盤の養生足場として地面に敷設されている重さが数トンにも及ぶ敷鉄板の吊上げ、搬送用に好適なものである。
【００３４】
図６〜図７は、本発明のフック装置（Ａ）を用いて敷鉄板（Ｉ）を吊上げ、所定の設置場所に搬送設置したあと、敷鉄板（Ｉ）からフック部（１）を抜去（脱着）するプロセスを説明するものである。
以下に説明するように、本発明のフック装置（Ａ）においては、地面（Ｅ）に敷設され重さが数トンにも及ぶ敷鉄板（Ｉ）からフック部（１）を極めて容易に抜去（脱着）することができる。
なお、図６において、参照記号Ｈは敷鉄板の吊上げ（引掛け）用穴部、Ｒはクレーン等に接続されたロープを示している。
また、図８は、図６の配置関係にあるフック装置（Ａ）の断面図（紙面に平行な断面でみたときの断面図）である。
【００３５】
図６は、本発明のフック装置（Ａ）により所定の敷設場所に吊上げ、搬送された敷鉄板（Ｉ）を所定の敷設場所の地面（Ｅ）に敷設した直後において、
１）．フック部（１）を敷鉄板（Ｉ）から抜去するために、外れ止め部（２）を
操作してフック部（１）の開口部（Ｏ）を開放状態とし、かつ、
２）．フック部（１）に対して、フック支持部（３）を反転回動させるとともにロック部（４）を操作してフック部（１）の係止部（１１２）とロック側の係止部（４１）を係合、ロックさせ、両部材が略当接する配置関係を維持す
るようにした、
ときのフック装置（Ａ）と敷鉄板（Ｉ）の配置関係を示す。
【００３６】
図６の配置関係にあるフック装置（Ａ）と敷鉄板（Ｉ）から、重さが数トンにも及ぶ敷鉄板（Ｉ）の下敷きになっているフック部（１）を抜去するには、作業員の人力では極めて困難である。
本発明は、図６に示されるように、フック部（１）における吊上げ支点（図１において、フック部（１）の最荷重の印加点）を、前記フック（１）とフック支持部（３）の当接配置関係によりフック支持部（３）のワイヤー固定部（３１１）におけるロープ（Ｒ）を介して印加される外力（Ｆ３　）が印加される抜去支点に変位させ、かつ、クレーン等の吊上げ装置によるロープ（Ｒ）を介する外力（Ｆ３　）を利用し、図示のようにフック支持部（３）のワイヤー固定部（３１１）の部分を引上げるようにする。
【００３７】
本発明において、フック支持部（３）の長さは、吊上げ支点を抜去支点に変位させるに十分な長さのものであり、かつ、フック支持部（３）のワイヤー固定部（３１１）の外力（Ｆ３　）による吊上げ時に、フック部（１）を図６の配置関係において時計回りの方向に回動させるに十分な長さのものである。
【００３８】
図６の状態で、外力（Ｆ３　）によりフック支持部（３）のワイヤー固定部（３１１）を引上げると、フック部（１）は時計回りに回動し、図６→図７の状態に至る。図７は、フック部（１）の先端部（１４）が、敷鉄板（Ｉ）から正に抜去（脱着）する直前の状態図を示している。
【００３９】
本発明のフック装置（Ａ）の使用態様は、通常、クレーン等の吊上げ機器の使用を前提としていることから、敷鉄板（Ｉ）などの重量物である吊上げ対象物からのフック部（１）の抜去（脱着）も当該機器の吊上げ力を利用するという発想により抜去システムを構成している。このため、本発明のフック装置（Ａ）は、前記したように作業員の人力によらず極めて効率的にフック部を吊上げ対象物から抜去することができる。
【００４０】
【発明の効果】
本発明のフック装置は、外れ止め機構として、外れ止め部を作動させるとき、外れ止め片を従来のようにフック部の開口部において開口部内の深い所を円弧運動させるのではなく、上方へ移行させる機構を採用している。
このため、従来のようにフック装置のフック部を吊上げ対象物の係止部に引掛ける作業や逆にフック部を吊上げ対象物の係止部から取外す（抜去する）作業のときに外れ止め部が作業の支障とならず、本発明のフック装置は極めて作業性や安全性に優れたものである。
【００４１】
また、本発明のフック装置は、れ止め機構として、従来の外れ止め片の一箇所での回動支持方式に比較して、二箇所支持方式を採用しているため、外力印加に対する耐久性が優れたものである。
【００４２】
更にまた、本発明のフック装置は、重さが数トンにも及ぶ敷鉄板などの重量物の吊上げ搬送後にフック部が当該重量物の下敷きになってしまう場合、当該重量物からのフック部の抜去（脱着）手段として、前記外れ止め機構を有するフック部に対して、フック支持部とロック部の簡単な構成を付加し、吊上支点を抜去支点に容易に変位させるようにしているため、重量物からのフック部を極めて容易に抜去（脱着）することができる。また、これら付加的要素（フック支持部とロック部）の構成は簡単な構成であるため、本発明のフック装置は経済的に優れたものである。
【図面の簡単な説明】
【図１】本発明のフック装置（Ａ）の正面図である。
【図２】本発明のフック装置（Ａ）の斜視図である。
【図３】本発明のフック装置（Ａ）の断面図（図１において紙面に平行な断面でみたときの断面図）である。
【図４】本発明のフック装置（Ａ）のフック部（１）の斜視図である。
【図５】本発明のフック装置（Ａ）の外れ止め部（２）の構成及び動作を説明する図である。
【図６】本発明のフック装置（Ａ）の敷鉄板（Ｉ）からの抜去作業を説明する図であり、敷鉄板（Ｉ）が地面（Ｅ）に敷設された直後のフック装置（Ａ）と敷鉄板（Ｉ）の配置関係を示す図である。
【図７】本発明のフック装置（Ａ）の敷鉄板（Ｉ）からの抜去作業を説明する図であり、敷鉄板（Ｉ）の引掛け用穴部（Ｈ）からフック部（１）の先端部が抜去される直前のフック装置（Ａ）と敷鉄板（Ｉ）の配置関係を示す図である。
【図８】図６に示されるフック部（１）の断面図（図６において紙面に平行な断面でみたときの断面図）である。
【符号の説明】
Ａ　………　フック装置
１　………フック部
１１　………　上端部
１１１　………　ピン孔
１１２　………　係止部
１２　………　外れ止め用固定部
１２１　………　スライド溝
１２１ａ　………　直線状スライド溝
１２１ｂ　………　係止溝
１２２　………　支持アーム固定部
１３　………　わん曲部
１４　………　先端部
１５　………　背部
Ｏ　………　開口部
２　………　外れ止め部
２１　………　外れ止め片
２１１　………　一端部
２１２　………　他端部
２１３　………　中央部
２２　………　支持アーム
２２１　………　一端部
２２２　………　他端部
２２ａ　………　バネ体
３　………　フック支持部
３１　………　上端部
３１１　………　ワイヤー固定部
３２、３２´　………　二股構造の下端部
３２１　………　接合ピン
３２２　………　ロック接合ピン
４　………　ロック部
４１　………　係止部
４２　………　操作レバー
４ａ　………　バネ体
Ｆ１　，Ｆ２　，Ｆ３　………　外力
Ｒ　………　ロープ
Ｉ　………　敷鉄板
Ｈ　………　敷鉄板の引掛け用穴部
Ｅ　………　地面
【図１】
2004115263.tif 000003
【図２】
2004115263.tif 000004
【図３】
2004115263.tif 000005
【図４】
2004115263.tif 000006
【図５】
2004115263.tif 000007
【図６】
2004115263.tif 000008
【図７】
2004115263.tif 000009
【図８】
2004115263.tif 000010